(57)【要約】【課題】エアカーテン装置のファンメンテナンス性の向上を目的とする。【解決手段】側面部材１０は、前記外郭２の背面側に設けられた背面部１２ａと、前記外郭２の前面側に設けられた前面部１２ｂと、前記背面部１２ａと前記前面部１２ｂとを着脱可能に接続する接続部１３とを備え、前記前面部１２ｂに前記軸受部１１を設けた構成にしたことにより、側面部材１０の前面部１２ｂと前記軸受部１１のみを外すことによりファン５のメンテナンスが可能となるので、ファン５のメンテナンス性を向上するという効果を得られる。【選択図】図３
2018071876.tif 000002
【特許請求の範囲】
【請求項１】
外郭と、
前記外郭の背面に設けられた壁取付部と、
前記外郭に設けられた吸込口から吹出口に空気を導く貫流ファンと、
前記貫流ファンの一端に接続されて当該貫流ファンを回転させる電動機と、
前記貫流ファンの他端にて当該貫流ファンの回転軸を支持する軸受部と、
前記軸受部を固定する側面部材と、を備え、
前記側面部材は、
前記外郭の背面側に設けられた背面部と、
前記外郭の前面側に設けられた前面部と、
前記背面部と前記前面部とを着脱可能に接続する接続部とを備え、
前記前面部に前記軸受部を設けたエアカーテン装置。
【請求項２】
前記前面部は、前記背面部側に突出する凸部を備え、
前記背面部は、前記前面部側に前記凸部に対応する凹部を備え、
前記接続部は、前記凸部と前記凹部とを嵌合させて接続する請求項１記載のエアカーテン装置。
【請求項３】
前記凸部は円弧状に迫り出し、
前記凹部は円弧状に窪んだ、
請求項２記載のエアカーテン装置。
【請求項４】
前記前面部の前記背面部と接触する面である前面部接触面に前記背面部側に向けて突出するリブを備え、
前記背面部の前記前面部と接触する面である背面部接触面に前記リブと嵌合する溝を備えた請求項１から３のいずれかに記載のエアカーテン装置。
【請求項５】
前記背面部の前記前面部と接触する面である背面部接触面に前記前面部側に向けて突出するリブを備え、
前記前面部の前記背面部と接触する面である前面部接触面に前記リブと嵌合する溝を備えた請求項１から３のいずれかに記載のエアカーテン装置。
【請求項６】
前記接続部は、
前記前面部における下部を回動軸として前記背面部における下部と接続し、
前記前面部における上部を前記回動軸を中心として回動可能に接続する請求項１から５のいずれかに記載のエアカーテン装置。
【発明の詳細な説明】
【技術分野】
【０００１】
本発明は、食品店やレストランの出入り口等に設置され、カーテン状の気流により空気の流出入を遮断するエアカーテン装置に関するものである。
【背景技術】
【０００２】
従来のエアカーテン装置の構造を図６に示す。ここで、図６は従来のエアカーテン装置の斜視概略図である。図６に示すエアカーテン装置は電動機１０１と貫流ファン１０２とファンユニット１０３と吸込パネル１０７と吹き出し部材１０９を有している。ファンユニット１０３は、貫流ファン１０２の両側に、側面部材Ａ１０４と側面部材Ｂ１０５を備えている。電動機１０１はファンユニット１０３に固定された金属製の側面部材Ａ１０４に固定されている。貫流ファン１０２は軸部１１１と軸受部１１２を備えており、軸受部１１２が電動機１０１の回転軸に装着され、軸部１１１が金属製の側面部材Ｂ１０５に取付けられた軸受１０６によって回転可能に支持されている。電動機１０１が運転されると、貫流ファン１０２が回転し、吸込パネル１０７に設けられた吸込口１０８より吸込気流が流入し、カーテン状の吹出気流となって、吹き出し部材１０９に備えられた吹出口１１０から送出される。
【先行技術文献】
【特許文献】
【０００３】
【特許文献１】特開２００１―１１６３１８号公報
【発明の概要】
【発明が解決しようとする課題】
【０００４】
このような従来のエアカーテン装置では、貫流ファン保持のための軸受部を固定している側面部材の全てを外さなければ、貫流ファンの交換をすることはできなかった。つまり、高所に取り付けられたエアカーテン装置を取り外すことなく、貫流ファンをメンテナンスすることは困難であった。つまり、エアカーテン装置を外して、メンテナンスする必要があり、メンテナンスの煩雑さが課題となっていた。
【０００５】
また、貫流ファンをメンテナンスする際には、側面部材を外すことにより、背面パネルの強度が弱くなり、製品を壁などに立掛けたりすると製品の外郭部が変形するという課題もあった。
【０００６】
本発明は、このような従来の課題を解決するものであり、貫流ファンのメンテナンス性を向上したエアカーテン装置を提供することを目的とする。
【課題を解決するための手段】
【０００７】
本発明に係るエアカーテン装置は上記目的を達成するために、外郭と前記外郭の背面に設けられた壁取付部と、前記外郭に設けられた吸込口から吹出口に空気を導く貫流ファンと、前記貫流ファンの一端に接続されて当該貫流ファンを回転させる電動機と、前記貫流ファンの他端にて当該貫流ファンの回転軸を支持する軸受部と、前記軸受部を固定する側面部材と、を備え、前記側面部材は、前記外郭の背面側に設けられた背面部と、前記外郭の前面側に設けられた前面部と、前記背面部と前記前面部とを着脱可能に接続する接続部とを備え、前記前面部に前記軸受部を設けたものであり、これにより所期の目的を達成するものである。
【発明の効果】
【０００８】
本発明によれば、側面部材の前面部のみを外すことにより貫流ファンのメンテナンスが可能となるので、貫流ファンのメンテナンス性を向上するという効果を得ることができる。また、側面部材の背面部は外郭に固定されているため、貫流ファンのメンテナンスの際にも外郭の強度を維持するという効果を得ることができる。
【図面の簡単な説明】
【０００９】
【図１】本発明に係るエアカーテン装置の斜視図。
【図２】エアカーテン装置の内部構造の斜視図。
【図３】側面部材の分解図。
【図４】側面部材の分解図。
【図５】側面部材の分解図。
【図６】従来のエアカーテン装置の斜視概略図。
【発明を実施するための形態】
【００１０】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１１】
（実施の形態１）
まず、図１を用いて本発明に係るエアカーテンの概略構成について説明する。なお図１は本発明に係るエアカーテン装置１の斜視図である。
【００１２】
エアカーテン装置１は、図１に示すように、壁面８に設置され、外郭２と、吸込口３と、吹出口４と、風路構造体６と、ファン５と、電動機７を備えている。
【００１３】
外郭２は、エアカーテン装置１の輪郭を形成し、壁面８に対向する面である背面に、壁面８と面平行に背面パネル９を備えている。
【００１４】
吸込口３は、エアカーテン装置１の設置時において、当該エアカーテン装置１の上面に、当該上面の右端から左端に渡って設けられている。吸込口３は、ファン５の回転によって外郭２の外部から内部に空気を吸引するための開口である。
【００１５】
吹出口４は、エアカーテン装置１の設置時において、当該エアカーテン装置の下面に、当該下面の右端から左端に渡って設けられている。吹出口４は、外郭２の下面において、前面よりも背面側に寄せて設けられている。なお、前面とは、外郭２を構成する略六面において、背面に対向する面である。吹出口４は、ファン５の回転によって外郭２の内部から外部に空気を排出するための開口である。
【００１６】
風路構造体６は、一端を吸込口３と、他端を吹出口４と接続しており、ファン５の回転によって吸込口３から吹出口４に空気を導く風路の外壁を形成する。
【００１７】
電動機７は、外郭２の左右方向の中央に配置され、電源コードを通して給電される。電動機７は、両側にシャフトを持つ両軸型の電動機であり、左右のシャフトに対して、ファン５が接続されている。
【００１８】
ファン５は、エアカーテン装置１の左右方向における右側と左側に１つずつ備えられている。ファン５は、エアカーテン装置１の幅方向（左右方向）に均一に風を吹き出すことができる貫流ファンである。ファン５は、電動機７に電源が投入されると回転し、吸込口３から外郭２の内部に空気を流入させ、風路構造体６の内側を通って、吹出口４から真下に空気を送出する。
【００１９】
次に図２を用いて、本発明に係るエアカーテン装置の内部構成について説明する。図２はエアカーテン装置１の内部構造の斜視図である。本発明に係るエアカーテン装置１は電動機７を中心に左右対称の構造であるため、図２では、図１に示すエアカーテン装置１の片側のみを示している。図２に示すように、エアカーテン装置１の内部には、背面パネル９と、ファン５と、電動機７と、軸受部１１と、側面部材１０とを備える。
【００２０】
背面パネル９は、エアカーテン装置１の設置時において、壁面に面平行に設けられる対向背面３０を備える。背面パネル９は、対向背面３０の上面端部から、前面側に折れ曲がった屋根部３１と、下面端部から前面方向に折れ曲がった床部３２とを備えている。つまり背面パネル９は、断面視においてコの字形状を有する。背面パネル９は、対向背面３０に壁取付部を備えている。壁取付部は、例えば左右方向に長い矩形の開口として設けられ、壁面に備えられる吊り金具に壁取付部を係合させることで、背面パネル９、すなわちエアカーテン装置１を壁に設置することができる。
【００２１】
ファン５は、回転軸の一端が電動機７と接続されており、回転軸の他端が軸受部１１に支持されている。ファン５は、一方を電動機７のシャフトに接続し、一方を側面部材１０で保持することで回転可能に保持される。
【００２２】
軸受部１１は、ファン５の回転軸が回転可能に、側面部材１０に固定されている。  側面部材１０は、背面側を背面パネル９にネジで固定されている。
【００２３】
次に側面部材１０の構成について図３を用いて説明する。図３は、側面部材１０の分解図である。
【００２４】
側面部材１０は、外郭２の背面側に設けられた背面部１２ａと、外郭２の前面側に設けられた前面部１２ｂと、前面部１２ｂに設けられた軸受部１１と、背面部１２ａと前面部１２ｂを接続する接続部１３とを備えている。
【００２５】
背面部１２ａは、外郭２に固定されている。
【００２６】
接続部１３は、例えばネジなど機械的な部品により背面部１２ａと前面部１２ｂとを着脱可能に接続する。ただし、背面部１２ａと前面部１２ｂの一方に爪などの突起部と他方には突起部に対応する嵌合部により、着脱可能としもてよい。
【００２７】
上記構成、すなわち側面部材１０に背面部１２ａと前面部１２ｂを設け、前面部１２ｂに軸受部１１を設ける構造にすることにより、前面部１２ｂを外すことでファン５を外すことが可能となる。つまり、ファン５のメンテナンス性を向上するという効果を得られる。また、ファン５のメンテナンスの際も背面部１２ａは外郭２に固定されたままであるため、外郭２の強度を保つことができ、メンテナンスの際の外郭２の変形を防ぐことができる。
【００２８】
なお、前面部１２ｂは、背面部１２ａ側に突出する凸部１４を設け、背面部１２ａは前面部１２ｂ側に対応する凹部１５を設けている。上記構成により、凸部１４と凹部１５が嵌合するため、背面部１２ａと前面部１２ｂの鉛直方向１６へのズレを防止することができる。
【００２９】
なお、本実施の形態においては、凸部１４は、円弧状に迫り出し、凹部１５は円弧状に窪ませている。凸部１４の円弧面と凹部１５の円弧面とで嵌合することにより、背面部１２ａと前面部１２ｂの鉛直方向１６へのズレをより防止することが可能になる。
【００３０】
（実施の形態２）
次に図４を用いて実施の形態２に係る側面部材の構造について説明する。図４は側面部材の分解図である。
【００３１】
本実施の形態では、前面部１２ｂの背面部１２ａと接触する面である前面部接触面１７に、背面部１２ａ側に向けて突出するリブ１８を備えている。また、背面部１２ａの前面部１２ｂと接触する面である背面部接触面１９に、リブ１８に嵌合する溝２０を備えている。
【００３２】
また、背面部１２ａの背面部接触面１９に前面部１２ｂ側に向けて突出するリブ１８を備え、前面部１２ｂの前面部接触面１７にリブ１８に嵌合する溝２０を備えてもよい。
【００３３】
上記構成により、リブ１８が溝２０に嵌合するため、背面部１２ａと前面部１２ｂの接続をする際の、左右方向の位置決めの役割を果たすことができ、背面部１２ａと前面部１２ｂの接続を補助する役割を果たす。さらに、背面部１２ａと前面部１２ｂの左右方向のズレを防止することができ、回転により負荷のかかりやすい側面部材の強度を高めることが可能となる。なお、上記ではリブ１８を、接触面に沿って縦方向に設けているが、接触面の長さ方向に対して垂直になるように設けてもよく、これらリブ１８を複数個も受けてもよい。この場合であっても、背面部１２ａと前面部１２ｂの接続を補助することができる。
【００３４】
次に図５を用いて本実施の形態に係る接続部１３ｂについて説明する。図５は側面部材の分解図である。
【００３５】
接続部１３ｂは、エアカーテン装置１の設置時における、前面部１２ｂの下端である前面下部２１ｂと、背面部１２ａの背面下部２１ａとを接続する。ここで接続部１３ｂは、前面下部２１ｂと背面下部２１ａとを重ねて例えばファン５の回転軸と軸平行にネジ止めすることで、接続部１３ｂに回動軸２２、すなわち回動機能を持たせることができる。これにより、前面部１２ｂにおける前面上部２３を、回動軸２２を中心として前面側に回動可能に接続する構造をしている。
【００３６】
上記構成により、例えば高所においても前面部１２ｂを背面部１２ａから切り離すことなく、接続した状態で前面部１２ｂを回動させてファン５の回転軸を軸受部１１から外すことが可能となる。これにより、ファン５のみを外して当該ファンに対する清掃作業などのメンテナンスや或いは取替えが可能となり、メンテナンス性を向上させることができる。
【産業上の利用可能性】
【００３７】
本発明のエアカーテン装置は、建物入り口の外気の遮断目的以外に、貫流ファンを内蔵した送風機器への転用により、室内空気を攪拌させるサーキュレーターとしての用途などにも適用できる。
【符号の説明】
【００３８】
１    エアカーテン装置
２    外郭
３    吸込口
４    吹出口
５    ファン
６    風路構造体
７    電動機
８    壁面
９    背面パネル
１０    側面部材
１１    軸受部
１２ａ    背面部
１２ｂ    前面部
１３，１３ｂ    接続部
１４    凸部
１５    凹部
１６    鉛直方向
１７    前面部接触面
１８    リブ
１９    背面部接触面
２０    溝
２１ａ    背面下部
２１ｂ    前面下部
２２    回動軸
２３    前面上部
３０    対向背面
３１    屋根部
３２    床部
１０１    電動機
１０２    貫流ファン
１０３    ファンユニット
１０４    側面部材Ａ
１０５    側面部材Ｂ
１０６    軸受
１０７    吸込パネル
１０８    吸込口
１０９    吹き出し部材
１１０    吹出口
１１１    軸部
１１２    軸受部
【図１】
2018071876.tif 000003
【図２】
2018071876.tif 000004
【図３】
2018071876.tif 000005
【図４】
2018071876.tif 000006
【図５】
2018071876.tif 000007
【図６】
2018071876.tif 000008